(57)【要約】【課題】  簡易な構成で、取り扱いが容易で、組立ることのできる組立箱を提供しようとする。【解決手段】  従来の中空空間を内部に持つことをできる組立箱にかわって、各々一定の幅寸法だけ離れた各々１対の平行な直線状の縁部を互いに順につなげて上から見て中空空間を囲うことをできる板材でできた第一側部と第二側部と第三側部と第四側部とを有する側部板材と、板材でできた底部板材と、を備え、前記縁部が前記第一側部と前記第二側部と前記第三側部と前記第四側部との隣り合う１対の部分を平面に展開した際に該１対の部分の境目に中空空間に面する側の少なくとも一部を繋がったまま残して中空空間に面する側の反対側から直線状の第一切り込みを各々に入れられて形成され、前記底部板材が前記側部板材の下部に取り付けられて中央空間の下面を覆う、ものとした。【選択図】    図２
2006117298.tif 000002
【特許請求の範囲】
【請求項１】
中空空間を内部に持つことをできる組立箱であって、
各々一定の幅寸法だけ離れた各々１対の平行な直線状の縁部を互いに順につなげて上から見て中空空間を囲うことをできる板材でできた第一側部と第二側部と第三側部と第四側部とを有する側部板材と、
板材でできた底部板材と、
を備え、
前記縁部が前記第一側部と前記第二側部と前記第三側部と前記第四側部との隣り合う１対の部分を平面に展開した際に該１対の部分の境目に中空空間に面する側の少なくとも一部を繋がったまま残して中空空間に面する側の反対側から直線状の第一切り込みを各々に入れられて形成され、
前記底部板材が前記側部板材の下部に取り付けられて中央空間の下面を覆う、
ことを特徴とする組立箱。
【請求項２】
前記第一側部と前記第三側部とが幅を左右に分割する位置に一方の面の側の少なくとも一部を繋がったまま残して他方の面の側から直線状の第二切り込みを各々に入れられる、
ことを特徴とする請求項１に記載の組立箱。
【請求項３】
前記第一側部と前記第三側部とが幅を１／２に分割する位置に一方の面の側の少なくとも一部を繋がったまま残して他方の面の側から直線状の第二切り込みを各々に入れられる、
ことを特徴とする請求項１に記載の組立箱。
【請求項４】
前記第一側部と前記第三側部とが幅を１／２に分割する位置に中空空間に面する側の反対側の少なくとも一部を繋がったまま残して中空空間に面する側から直線状の第二切り込みを各々入れられる、
ことを特徴とする請求項１に記載の組立箱。
【請求項５】
前記底部板材が、四辺形の底面部と該底面部の一辺を前記第一側部と前記第二側部と前記第三側部と前記第四側部のうちのひとつである特定側部の下部に連結し屈曲可能な連結部とを有する、
ことを特徴とする請求項１に記載の組立箱。
【請求項６】
前記連結部が、一体の板材でできた前記特定側部と前記底部板材とを平面に展開した際に前記特定側部と前記底面部との境目に一方の側から直線状の第三切り込みを入れて残った部分である、
ことを特徴とする請求項５に記載の組立箱。
【請求項７】
前記連結部が、一体の板材でできた前記特定側部と前記底部板材とを平面に展開した際に前記特定側部と前記底面部との境目に中空空間に面する側から直線状の第三切り込みを入れて残った部分である、
ことを特徴とする請求項５に記載の組立箱。
【請求項８】
前記底部板材から立ち上がり前記側部板材の中空空間に面する側に張り付く貼り付け面を持った接合部材を、
備える、
ことを特徴とする請求項１に記載の組立箱。
【請求項９】
前記側部板材の外周面に前記縁部を含めて隙間なく貼られた貼り紙を、
備える、
ことを特徴とする請求項１に記載の組立箱。
【発明の詳細な説明】
【技術分野】
【０００１】
本発明は、中空空間を内部に持つ組立箱に係る。特に折畳み可能な構成に特徴のある組立箱に関する。
【背景技術】
【０００２】
品物を入れる箱として組立箱と貼り箱とが知られている。
組立箱は、ボール紙でできており所定の形状に組立ることをできる箱である。組立箱は、薄手の表紙に印刷されたボール紙でできているのが一般的である。複雑な形状であっても、簡易な操作で組み立てることができ、多くの場所で利用されている。
貼り箱は、板紙で造った生地箱の表面に、コマ紙と呼ばれる貼り紙を貼った箱である。堅牢で、美しく、また貼り紙を変えるだけで、和風、洋風と様々な箱となり、あらゆる商品に対応できる。
貼り箱は、組立の作業が必要でなく、そのまま使用できる長所がある反面、場所をとりストックするのに不向きであった。
【０００３】
【特許文献１】特開昭６３−１５９９号
【特許文献２】実用新案登録第３０９６５８０号
【特許文献３】実開平６−７６０３０号
【発明の開示】
【発明が解決しようとする課題】
【０００４】
本発明は以上に述べた問題点に鑑み案出されたもので、簡易な構成で、取り扱いが容易で、組立ることのできる組立箱を提供しようとする。
【課題を解決するための手段】
【０００５】
上記目的を達成するため、本発明に係る中空空間を内部に持つことをできる組立箱を、
各々一定の幅寸法だけ離れた各々１対の平行な直線状の縁部を互いに順につなげて上から見て中空空間を囲うことをできる板材でできた第一側部と第二側部と第三側部と第四側部とを有する側部板材と、板材でできた底部板材と、を備え、前記縁部が前記第一側部と前記第二側部と前記第三側部と前記第四側部との隣り合う１対の部分を平面に展開した際に該１対の部分の境目に中空空間に面する側の少なくとも一部を繋がったまま残して中空空間に面する側の反対側から直線状の第一切り込みを各々に入れられて形成され、前記底部板材が前記側部板材の下部に取り付けられて中央空間の下面を覆う、ものとした。
【０００６】
上記本発明の構成により、側部板材の第一側部と第二側部と第三側部と第四側部とが各々一定の幅寸法だけ離れた各々１対の平行な直線状の縁部を互いに順につなげて上から見て中空空間を囲うことをできる板材ででき、底部板材が板材ででき、前記縁部が前記第一側部と前記第二側部と前記第三側部と前記第四側部との隣り合う１対の部分を平面に展開した際に該１対の部分の境目に中空空間に面する側の少なくとも一部を繋がったまま残して中空空間に面する側の反対側から直線状の第一切り込みを各々に入れられて形成され、
前記底部板材が前記側部板材の下部に取り付けられて中央空間の下面を覆う、ので、前記底部板材を前記側部板材の下部から取り外し、前記側部板材を前記第一切り込みの箇所で折ると、第一側部と第二側部と第三側部と第四側部とを折り畳むことをでき、また再度組み立てることをでき、中空空間を内部に持つ組立可能な箱を造ることができる。
【０００７】
本発明の実施形態に係る組立箱は、前記第一側部と前記第三側部とが幅を左右に分割する位置に一方の面の側の少なくとも一部を繋がったまま残して他方の面の側から直線上の第二切り込みを各々に入れられる。
上記本発明の構成により、直線状の第二切り込みが前記第一側部と前記第三側部との幅を左右に分割する位置に一方の面の側の少なくとも一部を繋がったまま残して他方の面の側から入れられ、るので、前記底部板材を前記側部板材の下部から取り外し、側部板材を前記第一切り込みと前記第二切り込みの箇所で折ると、第一側部と第二側部と第三側部と第四側部とを折り畳むことをでき、また再度組み立てることをでき、中空空間を内部に持つ組立可能な箱を造ることができる。
【０００８】
本発明の実施形態に係る組立箱は、
前記第一側部と前記第三側部とが幅を１／２に分割する位置に一方の面の側の少なくとも一部を繋がったまま残して他方の面の側から直線状の第二切り込みを各々に入れられる。
上記本発明の構成により、直線状の第二切り込みが前記第一側部と前記第三側部との幅を１／２に分割する位置に一方の面の側の少なくとも一部を繋がったまま残して他方の面の側から入れられる、ので、前記底部板材を前記側部板材の下部から取り外し、前記側部板材を前記第一切り込みと前記第二切り込みの箇所で折ると、第一側部と第二側部と第三側部と第四側部とを折り畳むことをでき、また再度組み立てることをでき、中空空間を内部に持つ組立可能な箱を造ることができる。
【０００９】
さらに、本発明の実施形態に係る組立箱は、前記第一側部と前記第三側部とが幅を１／２に分割する位置に中空空間に面する側の反対側の少なくとも一部を繋がったまま残して中空空間に面する側から直線状の第二切り込みを各々入れられる。
上記実施形態の構成により、直線状の第二切り込みが前記第一側部と前記第三側部との幅を１／２に分割する位置に中空空間に面する側の反対側の少なくとも一部を繋がったまま残して中空空間に面する側から入れられるので、前記側部板材を前記第一切り込みと前記第二切り込みの箇所で折ると、第一側部と第三側部とを第二側部と第四側部とに重ねて折り畳むことをでき、また再度組み立てることをでき、中空空間を内部に持つ組立可能な箱を造ることができる。
【００１０】
さらに、本発明の実施形態に係る組立箱は、前記底部板材が、四辺形の底面部と該底面部の一辺を前記第一側部と前記第二側部と前記第三側部と前記第四側部のうちのひとつである特定側部の下部に連結し屈曲可能な連結部とを有する。
上記本発明の構成により、前記底面部が四辺形であり、屈曲可能な連結部が該底面部の一辺を前記特定側部の下部に連結し、前記連結部を屈曲させて、折り畳んだ第一側部と第二側部と第三側部と第四側部とに前記底部材を重ねて畳むことをできる。
【００１１】
さらに、本発明の実施形態に係る組立箱は、前記連結部が、一体の板材でできた前記特定側部と前記底部板材とを平面に展開した際に前記特定側部と前記底面部との境目に一方の側から直線状の第三切り込みを入れて残った部分である。
上記本発明の構成により、前記特定側部と前記底部板材とを平面に展開した際に前記特定側部と前記底面部との境目に一方の側から直線状の第三切り込みを入れて残った部分を前記連結部とするので、簡単な構造で形状精度の高い組立箱を造ることができる。
【００１２】
さらに、本発明の実施形態に係る組立箱は、前記連結部が、一体の板材でできた前記特定側部と前記底部板材とを平面に展開した際に前記特定側部と前記底面部との境目に中空空間に面する側から直線状の第三切り込みを入れて残った部分である。
上記本発明の構成により、前記特定側部と前記底部板材とを平面に展開した際に前記特定側部と前記底面部との境目に中空空間に面する側から直線状の第三切り込みを入れて残った部分を前記連結部とするので、簡単な構造で形状精度の高い組立箱を造ることができる。
【００１３】
さらに本発明の実施形態に係る組立箱は、前記底部板材から立ち上がり前記側部板材の中空空間に面する側に張り付く貼り付け面を持った接合部材を、備える。
上記本発明の構成により、接合部材の貼り付け面が前記底部板材から立ち上がり前記側部板材の中空空間に面する側に張り付くので、簡単な構造で形状精度の高い組立箱を造ることができる。
【００１４】
さらに、本発明の実施形態に係る組立箱は、前記側部板材の外周面に前記縁部を含めて隙間なく貼られた貼り紙を、備える。
上記本発明の構成により、前記貼り紙が前記側部板材の外周面に前記縁部を含めて隙間なく貼られるので、組立可能な貼り箱をつくることができる。
【発明の効果】
【００１５】
以上説明したように本発明に係る中空空間を内部に持つ組立箱は、その構成により、以下の効果を有する。
組立箱において、第一側部と第二側部と第三側部と第四側部とでできた側部板材で中空空間を囲み、各々の境目に外側から第一切り込みを入れて縁部を形成し、底部板材を取り付ける様にしたので、前記底部板材を前記側部板材の下部から取り外し、前記第一切り込みの箇所で前記側部板材を折ると、第一側部と第二側部と第三側部と第四側部とを折り畳むことをでき、また中空空間を内部に持つ組立可能な箱を造ることができる。
対面する１対の側部板材に幅を左右に分ける第二切り込みを入れたので、前記底部板材を前記側部板材の下部から取り外し、前記第一切り込みと前記第二切り込みの箇所で前記側部板材を折ると、第一側部と第二側部と第三側部と第四側部とを折り畳むことをでき、また中空空間を内部に持つ組立可能な箱を造ることができる。
１対の側部板材の幅を二分する第二切り込みを入れたので、前記底部板材を前記側部板材の下部から取り外し、前記第一切り込みと前記第二切り込みの箇所で前記側部板材を折ると、第一側部と第二側部と第三側部と第四側部とを折り畳むことをでき、また中空空間を内部に持つ組立可能な箱を造ることができる。
また、側部板材の内側から幅を二分する第二切り込みを入れたので、前記底部板材を前記側部材の下部から取り外し、前記第一切り込みと前記第二切り込みの箇所とで前記側部板材を折ると、第一側部と第三側部とを第二側部と第四側部とを重ねて折り畳むことができ、また中空空間を内部に持つ組立可能な箱を造ることができる。
また、連結部で前記底面部の一辺と側部板材とを連結したので、連結部を屈曲させると、重ねて折り畳んだ第一側部と第二側部と第三側部と第四側部とに前記底面部を重ねて畳むことができる。
また、一体の板材に直線状の溝状の切り込みを入れて残った部分を前記連結部としたので、簡単な構造で形状精度の高い組立箱を造ることができる。
また、一体の板材に直線状の溝状の切り込みを中空空間の側から入れて残った部分を前記連結部としたので、簡単な構造で形状精度の高い組立箱を造ることができる。
また、前記底部板材の面から立ち上がり、前記側部板材の中空空間に面する側に張り付く貼り付け面を持った部材を前記接合部材とするので、簡単な構造で形状精度の高い、組立箱を造ることができる。
貼り紙を前記側部板材に隙間なく貼ったので、少量生産が可能な組立可能な貼り箱をつくることができる。
従って、簡易な構成で、取り扱いが容易で、組立ることのできる組立箱を提供できる。
【発明を実施するための最良の形態】
【００１６】
以下、本発明を実施するための最良の形態を、図面を参照して説明する。なお、各図において、共通する部分には同一の符号を付し、重複した説明を省略する。
【００１７】
最初に、本発明の実施形態に係る組立箱を、図を基に、説明する。
図１は、本発明の実施形態に係る組立箱の正面図である。図２は、本発明の実施形態に係る組立箱のＡ−Ａ断面図である。図３は、本発明の実施形態に係る組立箱のＢ−Ｂ断面図である。図４は、本発明の実施形態に係る組立箱の展開図である。
【００１８】
組立箱は、中空空間を内部に持つ破箱であり、側部板材１０と底部板材２０と接合部材３０と蓋部板材４０と貼り紙５０とで構成される。
例えば、内部空間は、上からみて周囲に４面を持つ６面体の空間である。
【００１９】
側部板材１０は、第一側部１１と第二側部１２と第三側部１３と第四側部１４とで構成される。
第一側部１１と第二側部１２と第三側部１３と第四側部１４とは、各々一定の幅寸法だけ離れた各々１対の平行な直線状の縁部を互いに順につなげて上から見て中空空間を囲って覆うことをできる板材でできている。
例えば、板材は、ボール紙等の板紙である。
例えば、側部板材１０は、組立箱の側部を構成する板材であって、第一側部１１と第二側部１２と第三側部１３と第四側部１４とで構成される。
例えば、第四側部１４は、第四側部（１）１４ａと第四側部（２）１４ｂと第四側部（３）１４ｃとで構成される。
例えば、第一側部１１と第二側部１２と第三側部１３と第四側部１４とは、各々の１対の平行な直線状の縁部Ｇを互い順に繋げて環状になった各々一定の幅寸法を持つ板材でできており、上から見て中空空間Ｈの周囲の４面を各々に覆う。
【００２０】
前記縁部が第一側部１１と第二側部１２と第三側部１３と第四側部１４との隣り合う１対の部分を平面に展開した際に、その１対の部分の境目に、中空空間に面する側の少なくとも一部を繋がったまま残して、中空空間に面する側の反対側から直線状の第一切り込みを各々に入れられて形成される。
【００２１】
図４は、側部板材の展開の一例を示している。
例えば、第四側部（１）１４ａと第一側部１１と第二側部１２と第三側部１３と第四側部（２）１４ｂとが、互いの縁部Ｇで繋がった一枚の板材からできている。
４本の第一切り込みＳ１がこの１枚の板材の板材を、第四側部（１）１４ａと第一側部１１と第二側部１２と第三側部１３と第四側部（２）１４ｂとに区画している。
第四側部（１）１４ａと第一側部１１と第二側部１２と第三側部１３と第四側部（２）１４ｂとが、上から見て中空空間Ｈの４面を囲って覆う。
第四側部（１）１４ａの端部と第四側部（２）１４ｂの端部とを付き合わせる。
第四側部（３）１４ｃが、第四側部（１）１４ａと第四側部（２）１４ｂの表面に接着される。
第四側部（３）１４ｃと後述する底部板材２０とが連結部２２で繋がった１枚の板材でできている。
【００２２】
以下に、縁部Ｇの構造を、図を基に、詳述する。
図５は、本発明の実施形態に係る組立箱のＣ部詳細図であり、縁部Ｇの構造を示している。
第一側部１１と第二側部１２の境目に位置する縁部Ｇを、例に説明する。
（生地状態）
組立箱が貼り箱である場合の、生地の状態を示している。
第一側部１１と第二側部１２とを平面に展開した状態で、直線上の第一切り込みＳ１が第一側部１１と第二側部１２との境目に中空空間Ｈに面する側の反対側から入れられている。
中空空間に面する側の反対側の少なくとも一部が繋がったまま残っている。
縁部Ｇが、第一切り込みＳ１により形成される。
第一切り込みＳ１は、底をＵ字型をした溝形状を持っていてもよい。
（貼り箱状態）
組立箱が、生地に貼り紙を貼った貼り箱である状態を示している。
第一側部１１と第二側部１２とを、第一切り込みＳ１の箇所の少なくとも一部が繋がった箇所を中心に、中空空間Ｈに沿って９０度に曲げる。
第一切り込みＳ１が広がり、第一側部１１の縁部Ｇと第二側部１２の縁部Ｇとが離れる。
貼り紙を、側部板材の外周面に前記縁部を含めて隙間なく貼る。
【００２３】
（未使用状態）
組立箱を使用しない状態を示している。
組立箱を使用しない場合には、第一側部１１と第二側部１２とを、中空空間Ｈが潰れる様に、中空空間に面する側の少なくとも一部が繋がった箇所を中心に回転させる。
この様にすると、第一側部１１と第二側部１２とを重ねて折り畳むことができる。
（使用状態）
組立箱を使用する状態を示している。
組立箱を使用する場合には、第一側部１１と第二側部１２とを、中空空間に面する側の少なくとも一部が繋がった箇所を中心に回転させる。
この様にすると、第一側部１１と第二側部１２とが中空空間Ｈの２面を各々覆うことが出来る。
【００２４】
第一側部１１と第三側部１３とが、幅を左右に分割する位置に一方の面の側の少なくとも一部を繋がったまま残して他方の面の側から直線上の第二切り込みを各々に入れられてもよい。
また、第一側部１１と第三側部１３とが、幅を１／２に分割する位置に一方の面の側の少なくとも一部を繋がったまま残して他方の面の側から直線上の第二切り込みを各々に入れられてもよい。
また、第一側部１１と第三側部１３とが、幅を１／２に分割する位置に中空空間Ｈに面する側の反対側の少なくとも一部を繋がったまま残して中空空間Ｈに面する側から直線上の第二切り込みを各々入れられてもよい。
【００２５】
以下に、第二切り込みＳ２の構造を、図を基に説明する。
図６は、本発明の実施形態に係る組立箱のＤ部詳細図である。
（生地状態）
組立箱が貼り箱である場合の、生地の状態を示している。
直線上の第二切り込みＳ２が、第一側部１１と第三側部１３とに、幅を１／２に分割する位置に中空空間に面する側から直線上の第二切り込みを各々入れられている。
中空空間に面する側の反対側の少なくとも一部が、繋がったまま残っている。
第二切り込みＳ２は、底をＵ字型をした溝形状を持っていてもよい。
（貼り箱状態）
組立箱が、生地に貼り紙を貼った貼り箱である状態を示している。
貼り紙が、側部板材の外周面に貼られている。
【００２６】
（未使用状態）
組立箱を使用しない状態を示している。
組立箱を使用しない場合には、第一側部１１と第三側部１３とを、第二切り込みの箇所の少なくとも一部が繋がった箇所を中心に回転させる。
この様にすると、第一側部１１または第三側部１３とを、幅を１／２に分割する位置で重ねて折り畳むことができる。
（使用状態）
組立箱を使用する状態を示している。
組立箱を使用する場合には、第一側部１１と第二側部１２とを、第二切り込みＳ２の箇所の少なくとも一部が繋がった箇所を中心に回転させる。
この様にすると、第一側部１１または第三側部１３が中空空間Ｈの１面を覆うことが出来る。
【００２７】
底部板材２０が。側部板材１０の下側に取り付けられて中央空間Ｈの下面を覆う。
例えば、底部板材２０が、床面部２１と連結部２２とで構成される。
床面部２１は、四辺形である。
連結部２２は、底面部２１の一辺を第一側部１１と第二側部１２と第三側部１３と第四側部１４のうちのひとつ（以下、特定側部と呼称する。）の下部に連結し屈曲可能な面部材であってもよい。
連結部２２は、一体の板材でできた特定側部と底部板材２０とを平面に展開した際に、特定側部と床面部２１との境目に一方の側から直線状の溝状の切り込み（以下、第三切り込みＳ３と呼称する。）を入れて残った部分であってもよい。
また、連結部２２は、一体の板材でできた特定側部と底部板材２０とを平面に展開した際に、特定側部と床面部２１との境目に中空空間に面する側から直線状の溝状の第三切り込みＳ３を入れて残った部分であってもよい。
【００２８】
以下に、第三切り込みＳ３を、図を基に説明する。
図７は、本発明の実施形態に係る組立箱のＥ部詳細図である。
連結部２２が、底面部２１の一辺を第四側部（３）１４ｃの下部に連結している場合を例に説明する。
（生地状態）
組立箱が貼り箱である場合の、生地の状態を示している。
一体の板材でできた第四側部（３）１４ｃと底部板材２０とを平面に展開した状態で、直線上の第三切り込みＳ３が第四側部（３）１４ｃと底面部２２との境目に中空空間Ｈに面する側から入れられている。
中空空間に面する側の反対側の少なくとも一部が残った部分が、連結部２２である。
例えば、第三切り込みＳ３が幅Ｔを持った溝であると、連結部２２は、第四側部（３）１４ｃと底面部２１とを距離Ｗだけ離して連結する。
（貼り箱状態）
組立箱が、生地に貼り紙を貼った貼り箱である状態を示している。
貼り紙を、側部板材の外周面と底部板材２０の下面に貼る。
【００２９】
（未使用状態）
組立箱を使用しない状態を示している。
組立箱を使用しない場合には、底部板材２０を連結部２２を屈曲させて移動して、底面部２１の下面を第四側部１４の表面に合わせる。
この様にすると、底部板材２０と第四側部１４とを重ねて折り畳むことができる。
（使用状態）
組立箱を使用する状態を示している。
組立箱を使用する場合には、底部板材２０を連結部２２を屈曲させて移動して、底面部２１の上面を側部板材１０の下面に合わせる。
この様にすると、底部板材２０が側部板材１０の下側に取り付けられて中央空間Ｈの下面を覆うことが出来る。
【００３０】
接合部材３０は、底部板材２０の面から立ち上がり側面に側部板材１０の中空空間Ｈに面する側に張り付く貼り付け面を持った部材である。
例えば、接合部材３０は、接合部（１）３１と接合部（２）３２と接合部（３）３３と接合部（４）３４と接合部（５）３５と貼り付け面３６とで構成される。
接合部（１）３１と接合部（２）３２と接合部（３）３３と接合部（４）３４と接合部（５）３５とは、屈曲可能なシート材でできている。
接合部（５）３５は、中空空間Ｈを上から見た四辺形と略同一の大きさの部分である。
接合部（１）３１と接合部（２）３２と接合部（３）３３と接合部（４）３４の一辺が接合部（５）３５の四辺に各々つながる。
貼り付け面３６は、接合部（１）３１と接合部（２）３２と接合部（３）３３と接合部（４）３４を側部板材１０の中空空間Ｈに面する側に貼り付ける面である。
例えば、  貼り付け面３６は、接着剤が塗られた面、または脱着を繰り返すことのできる面（いわゆるマジックテープ（登録商標）の面）である。
【００３１】
蓋部板材４０は、側部板材１０と底部板材２０と接合部材３０を組み立ててできた箱の上の開口を塞ぐ蓋である。
例えば、蓋部板材４０は、天井部４１と４つの蓋側部４２とで構成される。
例えば、折り畳んだ側部板材１０と底部板材２０と接合部材３０とが蓋部板材４０の窪みに収納できてもよい。
【００３２】
貼り紙５０は、側部板材１０と底部板材２０と接合部材３０を組み立ててできた箱、及び蓋部板材４０の表面に貼るシート材である。
貼り紙５０として、各種の模様、色彩の施されたシート材を選定することで、嗜好性の高い組立箱を作ることができる。
【００３３】
以下に、本発明の実施形態に係る組立箱の作用を、図を基に、説明する。
図８は、本発明の実施形態に係る組立箱の作用図その１である。図９は、本発明の実施形態に係る組立箱の作用図その２である。図１０は、本発明の実施形態に係る組立箱の作用図その３である。
【００３４】
組立箱を折り畳む順に沿って、作用を説明する。
図８は、底部板材２０と接合部材３０とを折り畳んだ状態を示す。
接合部材３０を底部板材２０の上面で折り畳む。
接合部材３０を連結部２２を中心に屈曲させて、底面部２１を第四側部１４の外面に重ねる。
図９は、第一側部１１と第三側部１３とを折り畳む様子を示している。
第一側部１１と第三側部１３とを、第二切り込みＳ２の箇所の残った部分を中心に折り畳む。第一側部１１と第三側部１３とが、幅を１／２に分割して折れ曲る。
折れ曲った第一側部１１と第三側部１３とが、第二側部１２と第四側部１４とで挟まれた間に折り重なる。
図１０は、折り畳まれた側部板材１０と底部板材２０と接合部材３０とが、蓋部部材４０の窪みに収納されるのを示す。
この様にすると、組立箱をコンパクトにすることができ、収納や運搬が容易になる。
【００３５】
上述の実施形態の組立箱を用いれば、以下の効果を発揮する。
側部板材に複数の第一切り込みをいれて、第一切り込みが外側になるように折り曲げて、上から見て四辺形の中空空間を環状に囲うようにし、底部板材を側部板材の下側に取り付けられる様にしたので、底部板材を側部板材の下から外して、第一切り込みで形成された縁部で折ると、側部板材の第一側部と第二側部と第三側部と第四側部とを折り畳むことができ。未使用時にはコンパクトにし、使用時に所望の箱形状にできる組立箱を提供できる。
また、第一側部と第三側部とに幅を左右に分割する第二切り込みを入れたので、第一側部と第三側部とを第二切り込みで折り曲げることができ、未使用時にはコンパクトにし、使用時に所望の箱形状にできる組立箱を提供できる。
また、第一側部と第三側部とに幅を１／２に分割する第二切り込みを入れたので、第一側部と第三側部とを第二切り込みで折り曲げることができ、未使用時にはコンパクトにし、使用時に所望の箱形状にできる組立箱を提供できる。
また、第二切り込みを中空空間に面する側から入れたので、第一側部と第三側部とを第二側部と第四側部で挟まれる間に折り曲げることができ、未使用時にはよりコンパクトにし、使用時に所望の箱形状にできる組立箱を提供できる。
また、底部板材を連結部で第一側部と第二側部と第三側部と第四側部のうちの１つの下側に連結する様にしたので、底部板材を側部板材に取り付けるのを容易にできる。
また、連結部を一体の板材の底部板材と側部板材の境に第三切り込みをいれて形成したので、底部板材を側部板材に組立精度良く取り付けるのを容易にできる。
また、第三切り込みを中空空間に面する側から入れるので、底部板材を側部板材に組立精度良く取り付けるのを容易にできる。
また、底部板材から立ち上がることのできる接合部材の貼り付け面を側部板材の内面に貼り付ける様にしたので、底部板材を容易に側部板材に取り付けることができる。
また、貼り付け面を繰り返し脱着できる面とすると、組立箱を繰り返し折り畳んだり、組み立てたりすることをできる。
また、第一切り込みまたは第二切り込みを、底をＵ字型をした溝形状を持つものとしたので、第一切り込みまたは第二切り込みで側部板材を繰り返し折っても、第一切り込みまたは第二切り込みで破断する可能性を少なくすることができる。
また張り紙を側部板材の外周面、底部板材の外面、蓋部部材の外面に貼ったので、趣味性が高く折畳み可能な貼り箱を提供できる。
【００３６】
本発明は以上に述べた実施形態に限られるものではなく、発明の要旨を逸脱しない範囲で各種の変更が可能である。
第一切り込みを細い溝形状であるとして説明したが、これに限定されず、例えば、９０度の角度をもつＶ溝としてもよい。この様にすると、組立箱を組み立てた際に第一側部と第二側部と第三側部と第四側部との隣り合う縁部Ｇが平面を形成することができる。
また、底面部２１の上面が側部板材１０の下面に合うとして説明したが、これに限定されず、例えば、底面部２１が側部板材１０の中に入り込んで底面部２１の下面と側部板材１０の下面とが一致しても良いし、底面部２１が側部板材１０の中に入り込んで底面部２１の下面が側部板材１０の下面より高い位置になってもよい。
また、１枚の板材の４箇所に第一切り込みを入れて、上から見て環状に折り曲げで端部と端部とを付きあわせる様にしたが、これに限定されず、例えば、２枚の板材の各々の２箇所に第一切り込みをいれて、コの字状に折り曲げて側部板材を上から見て環状に中央空間を挟んでに配置し、互いの端部を付きあわせても良い。この様にした場合、第四側部１４で説明した構造を第二側部にも適用する。
【図面の簡単な説明】
【００３７】
【図１】本発明の実施形態に係る組立箱の正面図である。
【図２】本発明の実施形態に係る組立箱のＡ−Ａ断面図である。
【図３】本発明の実施形態に係る組立箱のＢ−Ｂ断面図である。
【図４】本発明の実施形態に係る組立箱の展開図である。
【図５】本発明の実施形態に係る組立箱のＣ部詳細図である。
【図６】本発明の実施形態に係る組立箱のＤ部詳細図である。
【図７】本発明の実施形態に係る組立箱のＥ部詳細図である。
【図８】本発明の実施形態に係る組立箱の作用図その１である。
【図９】本発明の実施形態に係る組立箱の作用図その２である。
【図１０】本発明の実施形態に係る組立箱の作用図その３である。
【符号の説明】
【００３８】
Ｇ  縁部
Ｈ  中空空間
Ｓ１  第一切り込み
Ｓ２  第二切り込み
Ｓ３  第三切り込み
１０  側部板材
１１  第一側部
１２  第二側部
１３  第三側部
１４  第四側部
１４ａ第四側部（１）
１４ｂ第四側部（２）
１４ｃ第四側部（３）
２０  底部板材
２１  底面部
２２  連結部
３０  接合部材
３１  接合部（１）
３２  接合部（２）
３３  接合部（３）
３４  接合部（４）
３５  接合部（５）
３６  貼り付け面
４０  蓋部板材
４１  天井部
４２  蓋側部
５０  貼り紙
【図１】
2006117298.tif 000003
【図２】
2006117298.tif 000004
【図３】
2006117298.tif 000005
【図４】
2006117298.tif 000006
【図５】
2006117298.tif 000007
【図６】
2006117298.tif 000008
【図７】
2006117298.tif 000009
【図８】
2006117298.tif 000010
【図９】
2006117298.tif 000011
【図１０】
2006117298.tif 000012